(57)【要約】【課題】土壌中に埋設しても変形することがなく、常圧状態の水を用いて効率よく潅水できるようにする。【解決手段】ポリプロピレン繊維の不織布により形成した管状体の表面に、ポリプロピレンの線状体を螺旋状に固着して形成した流水部２の端部に給水口３を取り付け、給水口３は土壌４より露出させ、流水部２は土壌４に埋設し、給水口３より流水部２に給水した水を、不織布を透過して土壌中に滲み出させることにより、植物６の根部分７に、効率よく、スムーズに潅水することができる。【選択図】　図１
2004073139.tif 000002
【特許請求の範囲】
【請求項１】
透水性の布帛により形成した管状体の表面に、合成樹脂の線状体を螺旋状に固着して流水部を形成し、この流水部の端部に給水口を設けた潅水装置。
【請求項２】
透水性の布帛が、不織布である請求項１記載の潅水装置。
【請求項３】
帯状で透水性の布帛を螺旋状に供給して管状体にするとともに、この布帛の側縁に沿って合成樹脂を線状に押出し成形することにより、前記の管状体に線状体が螺旋状に卷回された流水部を形成し、この流水部の端部に給水口を取り付ける潅水装置の製造方法。
【請求項４】
透水性の布帛により形成した管状体の表面に、合成樹脂の線状体を螺旋状に固着して形成した流水部の端部に給水口を取り付けて潅水装置とし、この潅水装置を、前記給水口は地表に露出されて土壌中に埋設し、前記の給水口より流水部に給水し、透水性の布帛を介して土壌中に水を滲み出させる潅水方法。
【発明の詳細な説明】
【０００１】
【発明の属する技術分野】
本発明は、農作物、園芸物などの植物に潅水する装置、ならびに、その装置を製造する方法、および、その装置を用いて土壌に潅水する方法の技術に関するものである。
【０００２】
【従来の技術】
従来における潅水装置としては、一般的に、合成樹脂製のチューブに多数の小孔を均一に穿設したものを用いていた。そして、潅水する場合は、このチューブを地表に配置し、チューブを水道の蛇口に接続するなどしてチューブ内に加圧状態の水を供給し、その水を、穿設した小孔より噴出させることにより、地表に潅水するようにしていた。
【０００３】
しかし、加圧状態の水を小孔より噴出させて地表に潅水すると、土壌を跳ね返らせて植物の根元を露出させたり、跳ね返った土壌が植物の葉に付着して病気を発生させる原因になったりするという問題点があった。
【０００４】
この問題点を解決する手段の一つとして、多孔質ゴムにより形成したチューブからなる潅水装置を用い、チューブ内に水を供給し、チューブの多孔質表面から水を地表に滲み出させて流水することが提案された。
【０００５】
しかし、地表に潅水する場合は、地表よりの水分の蒸発が促進されるので、効率的に、植物の根部分にまで潅水し難いという問題点があった。
【０００６】
そこで、小孔を穿設した合成樹脂製のチューブを土壌中に埋設することにより、水分の蒸発を抑制し、植物の根部分の近傍に、直接、潅水できるようにした装置が提案されていた。
【０００７】
【発明が解決しようとする課題】
従来の潅水装置にあっては、水を、チューブに穿設した小孔より噴出させるためには、水は加圧した状態でチューブに供給する必要があった。また、水をチューブの多孔質表面から滲み出させる場合でも、チューブ内に水を良好に流通させるためには、加圧状態の水を供給する必要があった。
【０００８】
そこで、チューブを水道蛇口に接続したり、ポンプを用いたりすることにより、水を加圧状態で供給するようにしていた。そのために、植物が栽培されている近辺に、水道設備、もしくは、ポンプ設備およびその電源設備など、水を加圧するための設備を整備する必要があるという問題点があった。
【０００９】
また、チューブを土壌中に埋設する場合、土壌中でチューブが変形して水の流入を阻止しないようにするために、ある程度の強度を有する合成樹脂を用いてチューブを形成したり、チューブの肉厚を大きくしたりする必要が生じた。そして、チューブを、強度がある合成樹脂を用いて形成したり、肉厚を大きく形成したりすると、チューブの可撓性が阻害されるので、設置する地形の状態や植物の栽培状態に対応するように、チューブを屈曲させて埋設することが難くなるという問題点があった。
【００１０】
さらに、土壌中のチューブ内での水の流通を良好にするため、加圧状態の水を供給することにより、チューブを拡張させる必要もあり、また、チューブに穿設した小孔が土壌により目詰まりを起こし易いという問題点もあった。
【００１１】
そこで、本発明は、かかる問題点を解決するもので、土壌中に埋設して使用することができ、常圧状態の水を用いても良好に潅水することができる潅水装置ならびにその装置の製造方法およびその装置を用いた潅水方法を提供することにある。
【００１２】
【課題を解決するための手段】
上記問題点を解決するために、本発明の潅水装置においては、土壌中に埋設して水を流出させる流水部が、透水性の布帛により形成した管状体と、その管状体の表面に螺旋状に卷回した合成樹脂の線状体とを備え、この螺旋状に卷回した合成樹脂の線状体と管状体とは一体に固着することとしている。
【００１３】
そして、この潅水装置の流水部を土壌中に埋設した場合、流水部は、透水性の布帛によって径の大きな管状とすることができ、さらに、その管壁は、布帛により薄い肉厚に形成されるので、流水部内に流通させた水は、加圧状態ではなく常圧状態で、透水性の布帛を透過して土壌中に、容易に滲み出させることができる。
【００１４】
しかも、透水性の布帛より滲み出る水の流出速度は、小孔の場合のそれと比較して極めて遅くなるので、流水部内での水の貯留性が良く、滲み出た水により、長期間、徐々に、効率よく潅水をすることができ、根部分を傷めることもなくなる。なお、水は、布帛を形成する繊維との付着力により、繊維を伝わって流出するので、小孔の場合の噴出と異なり、滲み出る現象になるものと思われる。
【００１５】
また、管状体の表面には、合成樹脂の線状体が螺旋状に卷回されているので、流水部は、その径を大きくしても保形強度が大きく、土壌中に埋設しても変形することがなく、耐久性に優れ、可撓性にも優れたものとなる。
【００１６】
また、流水部の径が大きくできるので、水は常圧状態でも流通させることができ、また、流水部は、水をその管壁を形成する布帛の繊維を伝わって滲み出させるので、小孔を穿設した場合のように目詰まりを起こすこともなく、良好に土壌中へ流出させることができる。
【００１７】
さらに、合成樹脂の線状体と管状体とは一体に固着されているので、透水性の布帛は線状体の間に伸張した状態で張架され、水が滲み出る表面積を大きく保持することができる。
【００１８】
【発明の実施の形態】
本発明の潅水装置ならびにその装置の製造方法およびその装置を用いた潅水方法は、それぞれの請求項に記載したような形態で実施することができ、その構成に作用効果を併記して実施形態を以下に説明する。
【００１９】
すなわち、本発明の潅水装置は、請求項１に記載のように、透水性の布帛により形成した管状体の表面に、合成樹脂の線状体を螺旋状に固着して流水部を形成し、この流水部の端部に給水口を設けたものである。
【００２０】
そして、流水部は、透水性の布帛によって形成された管状体を備えており、この管状体の径を大きく形成することにより、流水部に、水を常圧状態で供給しても、流水部には水を流通させることができ、しかも、その水は、繊維を伝わって透水性の布帛を透過し、土壌中へスムーズに滲み出る。したがって、水を加圧状態にする水道設備やポンプ設備が不要となる。
【００２１】
また、流水部は、管状体の表面に螺旋状に卷回された合成樹脂の線状体を備えており、管状体の径を大きくしても保形強度が大きくなり、流水部を土壌中に埋設しても変形して水の流通が阻害されることもなく、流水部の全表面から水を滲み出させて土壌中に流出させ、植物の根部分に、効率よく、良好に潅水することができる。
【００２２】
また、布帛により肉厚が薄くなっている管状体の表面には、合成樹脂の線状体が螺旋状に卷回されているので、流水部の可撓性が良好で屈曲し易くなり、地形の状態、植物の栽培状態に対応させた形状に埋設し易くなり、また、合成樹脂製の流水部を用いることにより土壌中での耐久性に優れたものとなる。
【００２３】
また、螺旋状に卷回した合成樹脂の線状体と管状体とは一体に固着されているので、透水性の布帛は線状体の間で伸張して張架され、水が滲み出る表面積が大きく保持して潅水能力を増大させることができる。
【００２４】
さらに、土壌中に変形することなく埋設できるので、水の蒸発逸散が少なくなり、使用する水の量が軽減されて効果的である。
【００２５】
なお、請求項２に記載のように、透水性の布帛として不織布を用いると、繊維を伝わっての水の滲み出しがよりスムーズになって効果的である。
【００２６】
また、本発明の潅水装置の製造方法は、請求項３に記載のように、帯状で透水性の布帛を、その側縁端同士が突き合わさるように螺旋状に供給して管状体にするとともに、その突き合わさって当接する布帛の側縁端に沿って合成樹脂を線状に押出し成形することにより、管状体に線状体が螺旋状に卷回された流水部を形成し、この流水部の端部に給水口を取り付けるものである。
【００２７】
そして、帯状で透水性の布帛を、その側縁端同士を突き合わせるように螺旋状に供給して管状体を形成しながら、布帛の側縁端の突き合わせ部分に沿って合成樹脂の線状体を押出し成形することにより、布帛からなる管状体の表面には、合成樹脂の線状体が、螺旋状にかつ一体に卷回されるようになる。
【００２８】
また、管状体の表面に螺旋状に卷回される線状体は、押出し成形の行程において、溶融状態の合成樹脂の一部が、布帛の側縁部に浸入して固化する。その結果、帯状の布帛の側縁端同士が当接する部分と線状体とは、機械的に接合されて管状体を形成するので、その管状体の表面には線状体が一体に固着されて管状体の保形強度を増大させ、土壌中に埋設した場合でも、変形して水の流通を阻害することがなくなる。
【００２９】
また、線状体が管状体の表面に螺旋状に卷回されることにより、管状体には、可撓性が付与される。
【００３０】
さらに、線状に押出し成形された線状体が螺旋状に卷回されると、線状体には内部歪、いわゆるプラスチックメモリにより直線状に戻ろうとする潜在的弾性復元力が発生するので、その潜在的弾性復元力により、線状体が螺旋状に卷回されて一体に固着されている管状体には、その長さ方向に伸張しようとする応力が作用し、透水性の布帛は、螺旋状に卷回された線状体の間に伸張して張架され、水が滲み出る表面積を大きく保持することができる。
【００３１】
なお、螺旋状に卷回する線状体を鋼線により形成した場合は、圧縮方向への弾性力が発生するので、管状体には、長さ方向に縮小しようとする弾力が作用するようになり、布帛が線状体の間で縮んだ状態となり易く好ましくない。
【００３２】
さらに、本発明の潅水装置を用いた潅水方法は、請求項４に記載のように、透水性の布帛により形成した管状体の表面に合成樹脂の線状体を螺旋状に固着して形成した流水部の端部に、給水口を取り付けて潅水装置とし、この潅水装置を、前記給水口は地表に露出させて土壌中に埋設し、前記の給水口より流水部に給水し、流水部の壁面、すなわち、透水性の布帛を透過させて土壌中に水を滲み出させるものである。
【００３３】
そして、貯水槽などに貯留している水を、ホースやバケツなどにより、地表に露出している給水口から流水部に供給して流通させると、水は、透水性の布帛を透過して徐々に土壌中に滲み出るので、植物の根部分に良好に潅水することができる。
【００３４】
また、給水口は、開放状態にしておくと、雨水や夜露などを捕捉することができるので、潅水上は好ましいものとなる。
【００３５】
なお、以上の実施形態の説明では、水を滲み出させて植物の根の部分に潅水する場合について説明したが、肥料を溶解させた水や液体肥料などを滲み出させて潅水する場合にも、当然、適用することができる。
【００３６】
【実施例】
本発明の実施例について、潅水装置の使用状態を説明する図１、同潅水装置における流水部の一部を断面で示した側面を示す図２、同流水部の正面を示す図３、および、潅水装置の流水部を製造する方法を説明する図４を参照して説明する。
【００３７】
図１において、１は潅水装置で、流水部２と、この流水部２の端部に取り付けた給水口３とを備え、使用する場合は、流水部２は土壌４に埋設し、給水口３は土壌４より露出させる。５は給水口３に水を供給するバケツのような給水用具、６は土壌４に植生した植物、７は植物６の根部分である。
【００３８】
流水部２は、図２および図３に示すように、透水性の布帛により形成した管状体８と、その表面に螺旋状に卷回して一体に固着した合成樹脂の線状体９とを備え、透水性の布帛としては、ポリプロピレン繊維の不織布を用い、線状体９を形成する合成樹脂としては、ポリプロピレンを用いている。なお、線状体９は、管状体８との固着強度を大きくする目的で、管状体８と接する端部にリブ１０を設けて断面逆Ｔ字状に形成している。
【００３９】
つぎに、流水部２を製造する場合について説明する。
【００４０】
図４において、１１は管状体成形機で、回転ドラム１２を備えており、この回転ドラム１２には、回転自在のローラ１３が多数備えられ、このローラ１３は、回転ドラム１２の回転軸に対して傾斜して設けられている。１４はボビンで、ポリプロピレン繊維の不織布からなる帯状の布帛１５を卷回して保持している。１６は押出し成形機で、ノズル１７よりポリプロピレンが線状に押出される。１８はローラで、押出し成形機１６のノズル１７より線状に押出されたポリプロピレンが、螺旋状に卷回されるようにガイドするとともに、線状のポリプロピレンを管状体８の表面に押圧して線状体９に形成されるように機能する。１９は回転ドラム１２と対向させた回転自在のガイドで、回転ドラム１２により形成された管状体８の表面に、線状体９を螺旋状に卷回して形成した流水部２の内壁と当接するように配置され、回転しながら移動してくる流水部２を保持する。
【００４１】
そして、ボビン１４より回転ドラム１２に供給された帯状の布帛１５は、ローラ１３が、回転自在で、かつ、回転ドラム１２の回転軸に対して傾斜させて設けられていることにより、布帛１５の側縁端同士を突き合わせた状態で、回転ドラム１２に螺旋状に卷回されて管状体８を形成する。なお、この段階で、管状体８は回転ドラム１２とともに回転している。一方、押出し成形機１６のノズル１７より線状に押出されたポリプロピレンは、ローラ１８により回転している管状体８の表面における布帛１５の突き合わさった側縁端に沿って供給されると同時にその表面に押圧されながら固化して線状体９を形成する。
【００４２】
その結果、溶融状態のポリプロピレンの一部が、布帛１５の突き合わさった側縁端部に浸入して固化するので、布帛１５の側縁端の突き合わされた部分と線状体９とは、機械的に結合されて管状体８を形成するので、ポリプロピレン繊維の不織布からなる管状体８の表面には、ポリプロピレン樹脂からなる線状体９のリブ１０が一体に結合されて流水部２が形成される。このようにして形成された流水部２は、回転しながら移動してガイド１９に保持される。
【００４３】
そこで、ガイド１９より流水部２を所定の長さに切断して取り外し、その端部に給水口３を取り付ければ潅水装置１が得られる。
【００４４】
このようにして得られた潅水装置１を用いて植物に潅水する場合について説明する。
【００４５】
図１に示すように、給水口３は地表に露出させ、流水部２は土壌４に埋設し、貯水槽などに貯留している水を、給水用具５により給水口３から流水部２に供給して流通させると、水は常圧状態でも、管状体８の管壁を形成する不織布を透過して徐々に土壌中に滲み出るので、植物６の根部分７に良好に潅水することができる。
【００４６】
また、管状体８の表面には、線状体９が螺旋状に卷回されているので、流水部２の保形強度が大きくなり、潅水装置１を土壌４に埋設しても流水部２が変形して水の流通を阻害することもなく、不織布を透過して流水部２の全表面から水が徐々に滲み出して土壌中に流出し、潅水することができる。
【００４７】
また、管状体８の表面には、線状体９が螺旋状に卷回されているので、流水部２の可撓性が良好となって埋設し易くなり、また、流水部２は合成樹脂により形成されるので、土壌中では耐久性に優れたものとなる。
【００４８】
また、螺旋状に卷回した線状体９と管状体８とは、リブ１０の部分が固化する時に一体に結合されるので、線状体９の内部歪により、管状体８の管壁すなわち不織布は伸張して張架され、水が滲み出る表面積を大きくして潅水能力が増大される。
【００４９】
さらに、土壌中より植物６の根部分７に潅水することにより、水の蒸発逸散が少なく、使用する水の量を軽減できる。
【００５０】
このようにして潅水した場合の植物の生育に対する効果について、以下に説明する。
【００５１】
幅６０ｃｍ、長さ５ｍの畦を２本作り、その一方の畦には、地表から２５ｃｍの深さに、図１に示すように流水部２を埋設して潅水装置１を配置し（実施例）、他方の畦には、合成樹脂製のチューブに多数の小孔を均一に穿節した潅水装置を、地表に配置した（比較例）。
【００５２】
なお、実施例においては、幅２０ｍｍ、厚さ１ｍｍの帯状のポリプロピレン繊維の不織布を用いて外径６０ｍｍの管状体８を作成し、この管状体８の表面に、リブ１０の幅８ｍｍ、高さ４ｍｍの断面逆Ｔ字状のポリプロピレン製の線状体９を螺旋状に卷回した流水部２を用いている。
【００５３】
そして、それぞれの畦に、茄子の苗木を定植した。なお、定植した苗木の種類、定植の時期、施肥、支柱、剪定などの条件は、同一にしている。
【００５４】
その結果、給水量は実施例の場合、比較例の適量の６０％で十分であった。これは、実施例の場合は、地表よりの蒸発や流出が少ないため、比較例の場合と比べ、供給する水量が少なく、潅水量が軽減されたことによる。また、実施例の場合、苗木の生育丈が、比較例の場合と比べて約１５ｃｍ高く成長し、収穫量が多く、その１個当たりの大きさも大きいものとなった。
【００５５】
【発明の効果】
本発明は、以上説明したような形態で実施され、以下に記載するような効果を奏する。
【００５６】
すなわち、土壌中に埋設しても変形することがなく、可撓性、耐久性に優れ、水道設備などを設備する必要もなく、また、植物の根部分を傷めることもなく、経済的な水量で効率的かつスムーズに潅水することができる。
【図面の簡単な説明】
【図１】本発明の実施例による潅水装置の使用状態を説明する図である。
【図２】同潅水装置における流水部の一部を断面で示した側面図である。
【図３】同流水部の正面図である。
【図４】本発明の実施例における潅水装置の流水部を製造する方法を説明する図である。
【符号の説明】
１　潅水装置
２　流水部
３　給水口
８　管状体
９　線状体
【図１】
2004073139.tif 000003
【図２】
2004073139.tif 000004
【図３】
2004073139.tif 000005
【図４】
2004073139.tif 000006